(57)【要約】【課題】撹拌器に絡まった毛髪を撹拌器から容易に取り除くことが可能な掃除機ヘッドを提供すること。【解決手段】掃除機ヘッドは、回転軸回りに回転するために支持された撹拌器を備える。掃除機ヘッドは、２つの径方向拡大部分の軸方向間に位置する狭窄括部を備えるスプールを有する。撹拌器の軸方向端部は、狭窄括部から径方向外側に位置しかつ狭窄括部と軸方向で位置合わせされた淵部で終端し、撹拌器の周りに巻き付いた毛髪が撹拌器に沿って軸方向で移動し、淵部から狭窄括部へ滑り落ちすることを可能とするように構成されている。【選択図】図７
2019111309.tif 000002
【特許請求の範囲】
【請求項１】
回転軸回りに回転するために支持された撹拌器を備える掃除機ヘッドであって、
２つの径方向拡大部分の軸方向間に位置する狭窄括部を備えるスプールを有し、
前記撹拌器の軸方向端部が、前記狭窄括部から径方向外側に位置しかつ前記狭窄括部と軸方向で位置合わせされた淵部で終端し、前記撹拌器の周りに巻き付いた毛髪が前記撹拌器に沿って軸方向で移動し、前記淵部から前記狭窄括部へ滑り落ちすることを可能とするように構成されていることを特徴とする掃除機ヘッド。
【請求項２】
前記撹拌器及び前記スプールが、前記回転軸に沿って互いに対して移動可能であり、それにより、前記スプールを前記撹拌器から引き出すことを特徴とする請求項１に記載の掃除機ヘッド。
【請求項３】
前記撹拌器が、開口部を有する筐体内に位置しており、
前記開口部を通して、前記撹拌器を前記筐体から取り除くことができ、
前記開口部が、端部キャップによって選択的に閉塞可能であることを特徴とする請求項２に記載の掃除機ヘッド。
【請求項４】
前記スプールが、前記端部キャップに設けられていることを特徴とする請求項３に記載の掃除機ヘッド。
【請求項５】
前記スプールが、撹拌器支持体の一部であり、
前記撹拌器支持体が、前記撹拌器を回転可能に支持するように位置するベアリングを備えることを特徴とする請求項１から４のいずれか１項に記載の掃除機ヘッド。
【請求項６】
前記ベアリングが、前記狭窄括部の内側に位置しており、前記撹拌器から突出するスタブに係合していることを特徴とする請求項５に記載の掃除機ヘッド。
【請求項７】
前記径方向拡大部分の直径が、前記狭窄括部の直径よりも少なくとも５０％大きいことを特徴とする請求項１から６のいずれか１項に記載の掃除機ヘッド。
【請求項８】
前記狭窄括部の軸方向長さが、当該狭窄括部の直径の少なくとも６０％であることを特徴とする請求項１から７のいずれか１項に記載の掃除機ヘッド。
【請求項９】
前記狭窄括部の軸方向長さの少なくとも５０％が、前記撹拌器内に受けられていることを特徴とする請求項１から８のいずれか１項に記載の掃除機ヘッド。
【請求項１０】
前記撹拌器が、第１回転方向で回転可能であり、ほぼ螺旋状配列の毛を備えており、
前記毛が、反回転方向で前記軸方向端部に向けて前記撹拌器の周りに延在していることを特徴とする請求項１から９のいずれか１項に記載の掃除機ヘッド。
【請求項１１】
前記径方向拡大部分が、平面であるまたは互いに離間するようなテーパ状とされた両側壁部を画成することを特徴とする請求項１から１０のいずれか１項に記載の掃除機ヘッド。
【請求項１２】
前記撹拌器を回転させるように構成された駆動組立体をさらに備え、
前記駆動組立体が、前記撹拌器内へ突出していることを特徴とする請求項１から１１のいずれか１項に記載の掃除機ヘッド。
【請求項１３】
２つの径方向拡大部分の軸方向間に位置する狭窄括部を備える第２スプールを有し、
前記撹拌器の反対側の軸方向端部が、前記第２スプールの前記狭窄括部から径方向外側に位置しかつ前記狭窄括部と軸方向で位置合わせされた淵部で終端していることを特徴とする請求項１から１２のいずれか１項に記載の掃除機ヘッド。
【請求項１４】
請求項１から１３のいずれか１項に記載の掃除機ヘッドを備えることを特徴とする真空掃除機。
【発明の詳細な説明】
【技術分野】
【０００１】
本発明は、例えば真空掃除機で使用され得るタイプの掃除機ヘッドに関する。
【背景技術】
【０００２】
本発明は、具体的には、ほぼ筒状のブラシバーのような回転撹拌器を組み込んだ掃除機ヘッドに関係しており、このブラシバーは、真空掃除機で使用されて清掃中の表面を撹拌し、それにより、清掃性能を改善する。
【発明の概要】
【発明が解決しようとする課題】
【０００３】
このような掃除機ヘッドにおいて、使用中に、毛髪または糸もしくはワイヤのような他の細長い屑は、撹拌器の周りに巻き付き得る。そして、巻き付いた毛髪は、撹拌器に沿って移動し、撹拌器を支持しているベアリングを詰まらせる。いくつかの掃除機ヘッドは、撹拌器の端部にフランジを設けており、これらフランジは、径方向外側に延在して毛髪の移動を妨害し、毛髪がベアリングに達する危険性を低減する。他の物は、撹拌器にアクセスすることまたは比較的容易に取り除くことを可能とし、それにより、ユーザは、巻き付いた毛髪を撹拌器から解き得る。しかしながら、いずれにしても、ユーザは、毛髪を取り除くために掃除機ヘッドの動作を即座に停止しなければならず、絡まった毛髪を撹拌器から取り除くことは、比較的困難であり時間がかかり得る。さらに、毛髪が撹拌器の周りに巻き付いたままである間、毛髪が撹拌器の動作を妨害する危険性が依然としてある。例えば、毛髪は、毛髪と筐体との間にかかって撹拌器が回転することを防止し得る、または、蓄積して撹拌器がカーペットの繊維内に十分に深く進入することを防止するスペーサとして機能し得る。
【課題を解決するための手段】
【０００４】
本発明の１つの目的は、上記欠点の少なくとも１つを軽減するまたは回避すること、かつ／または、改善したもしくは代替の掃除機ヘッドもしくは真空掃除機を提供すること、である。
【０００５】
本発明の第１態様によれば、回転軸回りに回転するために支持された撹拌器を備える掃除機ヘッドが提供され、この掃除機ヘッドは、２つの径方向拡大部分の軸方向間に位置する狭窄括部を備えるスプールを有し、撹拌器の軸方向端部は、狭窄括部から径方向外側に位置しかつ狭窄括部と軸方向で位置合わせされた淵部で終端し、撹拌器の周りに巻き付いた毛髪が撹拌器に沿って軸方向で移動し、淵部から狭窄括部へ滑り落ちすることを可能とするように構成されている。
【０００６】
本発明は、毛髪が撹拌器から滑り落ちることを可能とし、これにより、撹拌器の周りに巻き付いている毛髪が撹拌器の機能を阻害する危険性を低減し、ユーザが使用を中断して撹拌器から毛髪を手で解く必要性を回避しつつ、撹拌器から落下した毛髪を格納するための安全な場所を提供し、それにより、毛髪がベアリングを詰まらせにくくなる。したがって、本発明にかかる掃除機ヘッドは、より信頼性があり、かつ／または、より長期間にわたって連続的に使用できる。さらに、ユーザにとって、撹拌器からよりもスプールから毛髪を取り除くことがより容易であり得るまたはより迅速であり得る。
【０００７】
撹拌器の軸方向端部は、軸方向端部が（径方向フランジや直径の十分な増大のような）機構を有していない場合に、「撹拌器の周りに巻き付いた毛髪が撹拌器に沿って軸方向に移動し、淵部から滑り落ちることを可能とするように」構成され得る。例えば、撹拌器は、ほぼ筒状であり、軸方向端部は、淵部に向けて一定なままであるまたは減少する平均直径を有し得る。
【０００８】
撹拌器及びスプールは、回転軸に沿って互いに対して移動可能であり得、それにより、スプールを撹拌器から引き出す。これにより、ユーザが撹拌器内に手を伸ばしてスプールから毛髪を取り除く必要がある場合よりも、スプールの狭窄括部の周りに巻き付いた毛髪をより容易に取り除くことができるようになり得る。
【０００９】
撹拌器は、開口部を有する筐体内に位置し得、開口部を通して、撹拌器を筐体から取り除くことができ、開口部は、端部キャップによって選択的に閉塞可能である。
【００１０】
筐体から撹拌器が取り外し可能であることにより、（例えば、撹拌器に沿って移動して狭窄括部に落下していない毛髪を取り除くために）撹拌器を清掃する、または、修理する／交換することがより容易になり得る。開口部及び端部キャップは、有利に簡素なまたは直感的な機構を提供し得、撹拌器は、この機構を通して取り外され得る。
【００１１】
代替例として、撹拌器は、別の機構を介して筐体から取り外し可能であり得る（例えば、撹拌器は、掃除機ヘッドの吸引開口部を通して筐体を通過させることによって、筐体から取り外し可能であり得る）、または、撹拌器は、掃除機ヘッドに恒久的に固定され得る。
【００１２】
スプールは、端部キャップが設けられ得る。これにより、特に簡素な機構が提供され得、この機構によって、スプールは、撹拌器から引き出され得る。さらに、いくつかの形態において、これにより、（端部キャップを取り外すことによって）スプールを撹拌器から引き出すことができるようになり、それにより、撹拌器を移動させる必要なく撹拌器から毛髪を除去する。
【００１３】
代替例として、端部キャップは、撹拌器の反対側の軸方向端部に設けられ得る。このような場合において、スプールは、（端部キャップを取り外した後に）開口部を通して撹拌器を筐体から外へ移動させ、これにより、スプールの周りから撹拌器を移動させることによって、撹拌器から引き出され得る。
【００１４】
スプールは、撹拌器支持体の一部であり得、撹拌器支持体は、撹拌器を回転可能に支持するように位置するベアリングを備える。これにより、撹拌器の回転安定性を改善し得る、かつ／または、掃除機ヘッドの簡素性を増加させ得る。
【００１５】
ベアリングは、狭窄括部の内側に位置しており、撹拌器から突出するスタブに係合し得る。これにより、狭窄括部の周りに巻き付いた毛髪が最終的にベアリング内に進入する危険性を低減し得る。代替例として、撹拌器は、ベアリングを支持するスタブを備え得、撹拌器は、ベアリングの外面に係合する管状領域を有し得る。
【００１６】
径方向拡大部分の直径は、狭窄括部の直径よりも少なくとも５０％大きくなり得る。例えば、径方向拡大部分の直径は、狭窄括部の直径よりも少なくとも６０％または少なくとも７０％大きくなり得る。これにより、スプールが比較的大量の毛髪を保持することが可能となり得る。
【００１７】
狭窄括部の軸方向長さは、その直径の少なくとも６０％、好ましくは少なくとも７０％であり得る。これにより、スプールが比較的大量の毛髪を保持することが可能となり得る。
【００１８】
狭窄括部の軸方向長さの少なくとも２５％は、撹拌器内に受けられ得る。例えば、狭窄括部の軸方向長さの少なくとも５０％または少なくとも７５％は、撹拌器内に受けられ得る。これにより、掃除機ヘッドの全体幅を過剰に大きくすることなく、狭窄括部を比較的長くする（ひいては比較的大きな毛髪格納能力）ことが可能となり得る。
【００１９】
撹拌器は、撹拌器が、第１回転方向で回転可能であり、ほぼ螺旋状配列の毛を備えており、毛は、反回転方向で軸方向端部に向けて撹拌器の周りに延在している。これにより、撹拌器が回転する際に、（毛髪がスプール上に落下し得るとすぐに）毛髪が軸方向端部に向けて移動することを促し得、これにより、本発明の上記利点を提供する範囲を増加させる。
【００２０】
径方向拡大部分は、平面であるまたは互いに離間するようなテーパ状とされた両側壁部を画成し得る。これにより、狭窄括部の周りに巻き付いた毛髪を保持するスプールの機能を改善し得る。対照的に、側壁部が互いに向けて先細る場合、毛髪は、直径が増加している径方向拡大部分へ徐々に進入し、これにより、スプールから離脱する。
【００２１】
掃除機ヘッドは、撹拌器を回転させるように構成された駆動組立体をさらに備え得、駆動組立体は、撹拌器内へ突出している。駆動組立体は、（スプールに駆動組立体を設け得るとすぐに）撹拌器の上記軸方向端部内へ突出し得る、または、撹拌器の反対側の軸方向端部内へ突出し得る。
【００２２】
選択的に、
掃除機ヘッドは、２つの径方向拡大部分の軸方向間に位置する狭窄括部を備える第２スプールを有し、
撹拌器の反対側の軸方向端部は、第２スプールの狭窄括部から径方向外側に位置しかつ狭窄括部と軸方向で位置合わせされた淵部で終端している。
【００２３】
これにより、毛髪が撹拌器の反対側の軸方向端部から落下し、撹拌器の軸方向端部及びスプールに関して上述したように同じ態様で第２スプールで保持されることを可能とし得る。
【００２４】
撹拌器の反対側の軸方向端部は、毛髪が軸方向端部に沿って淵部に向けて移動することを阻害するように構成され得る。あるいは、反対側の軸方向端部は、撹拌器の周りに巻き付いている毛髪が撹拌器に沿って軸方向で移動し、淵部から第２スプールの狭窄括部に滑り落ちることを可能とするように構成され得る。
【００２５】
本発明の第２態様によれば、本発明の第１態様にかかる掃除機ヘッドを備える真空掃除機が提供される。
【００２６】
添付の図面を参照しながら、例としてのみ、本発明の一実施形態を説明する。
【図面の簡単な説明】
【００２７】
【図１】本発明の一実施形態にかかる真空掃除機を示す斜視図である。
【図２】図１の真空掃除機の掃除機ヘッドを上方から示す斜視図である。
【図３】図２の掃除機ヘッドを下方から示す斜視図である。
【図４】いくつかの構成部材を取り除いた状態の図２及び図３の掃除機ヘッドを示す斜視図である。
【図５】掃除機ヘッドの撹拌器の回転軸に平行な垂直平面で取った掃除機ヘッドを示す断面図である。
【図６】端部キャップを掃除機ヘッドから分離した状態の掃除機ヘッドを示す斜視図である。
【図７】図６の端部キャップ及び掃除機ヘッドの一部を示す斜視図である。
【図８】所定平面において端部キャップに支持された狭窄括部を通って取った掃除機を示す断面図であって、所定平面が撹拌器の回転軸に垂直である、断面図である。
【発明を実施するための形態】
【００２８】
説明及び図面にわたって、対応する参照符号は、対応する機構を示す。
【００２９】
図１は、本発明の一実施形態にかかる真空掃除機２を示す。この実施形態にかかる真空掃除機２は、アプライト型真空掃除機である。真空掃除機は、掃除機ヘッド６を担持する転動組立体４と、「アプライト型」本体８と、を有する。アプライト型本体８は、ヘッド組立体４に対して倒され得、真空掃除機２を床にわたって操縦するためのハンドル１０を有する。使用時において、ユーザは、ハンドル１０を握り、ハンドル１０が都合の良い高さに配設されるまでアプライト型本体８を倒す。そして、ユーザは、床上で掃除機ヘッド６を通過させて塵埃及び他の屑を床から取り上げるために、ハンドル１０を用いて床にわたって真空掃除機２を転がす。塵埃は、真空掃除機２に搭載して収容されたモータ駆動式ファン（図示略）の形態にある真空発生器によって掃除機ヘッド内に引き込まれ、ファンが発生させた真空圧を受けて従来の態様で遠心分離器１２までダクト案内され、この遠心分離器において、塵埃は、空気から分離される。そして、比較的清浄な空気は、環境に戻るように排気される。
【００３０】
掃除機ヘッド６は、図２及び図３において単離して示されている。掃除機ヘッドは、撹拌器チャンバ１６を画成する筐体１４を有しており、撹拌器１８は、この撹拌器チャンバ内に受けられている。撹拌器１８は、ほぼ円筒状であり、この実施形態において中空である。撹拌器は、一対の螺旋状溝部２０を有するブラシ領域１９を有しており、これら螺旋状溝部は、対応する螺旋状配列の撹拌毛（図示略）を支持するように構成されている。撹拌器チャンバ１６は、撹拌器１８を回転可能に支持しており、それにより、撹拌器は、駆動組立体（図示略）の作用を受けて回転軸２２回りに回転し得る。この場合において、回転軸２２は、同様に、撹拌器１８の長手方向軸である。
【００３１】
図４は、撹拌器１８と筐体１４の一部とを取り除いた状態の掃除機ヘッド６を示しており、図５は、（完全な）掃除機ヘッド６を通る断面図を示している。図１から図３と組み合わせてこれら図面を参照しながら、撹拌器の回転支持及び駆動を説明する。
【００３２】
撹拌器１８は、撹拌器１８の軸方向端部２６内に突出している撹拌器支持体２４によって、及び、撹拌器１８の反対側の軸方向端部３０内に突出している駆動組立体２８によって、回転するために支持されている。この場合において、駆動組立体２８は、撹拌器１８のほぼ全長に沿って延在する。
【００３３】
駆動組立体２８は、スプール部分３２と、支持部分３４と、電気モータ３８及びギアボックス４０を収容する二重壁支持スリーブ３６と、撹拌器１８の端部キャップ領域４４に駆動式に係合する駆動ドッグ４２と、を有する。使用時において、モータ３８は、給電され、それにより、出力シャフト４６を回転させており、ギアボックスは、この回転を落とし、それにより、駆動ドッグ４２（ひいては撹拌器１８）は、よりゆっくりではあるがより大きなトルクで回転する。支持部分３４は、リブ付支持リング５０を介して撹拌器１８を回転可能に支持するベアリング４８を備えており、このリブ付支持リングは、撹拌器１８と駆動組立体２８との間にある若干の位置ズレに適合し、これら撹拌器と駆動組立体との間における振動伝達を低減する。
【００３４】
撹拌器支持体２４は、回転軸２２に位置合わせされたスプール５２を備える。スプール５２は、２つの径方向拡大部分５６ａ、５６ｂの軸方向間に位置する狭窄括部５４を有しており、これら径方向拡大部分は、この実施形態において、ほぼ環状のフランジの形態をとっている。撹拌器１８の軸方向端部２６は、淵部５８で終端しており、この淵部は、括部５４の径方向外側にあり、括部と軸方向で位置合わせされている。
【００３５】
撹拌器１８は、駆動組立体２８によって、第１方向、軸方向端部２６から軸２２に沿って見た（すなわち、撹拌器１８が「前方に」回転した）ときに反時計回りに回転可能である。溝部２０は、螺旋状配列の毛（図示略）を支持し、それにより、これら毛は、反対方向で軸方向端部２６に向けて撹拌器１８の周りに延在する。すなわち、これら毛は、その端部から見たときに、「左手」ネジ山と同様の態様で、軸方向端部２６に向けて撹拌器１８の周りを時計回りに延在する。
【００３６】
溝部２０内で支持されている毛（図示略）が撹拌器１８の周りを延在する方向は、撹拌器１８の回転方向と組み合わせて、撹拌器を回転させると毛が大きな屑を軸方向端部２６に向けてカム移動させる傾向がある（同様に、屑をほぼ接線方向に推進させる）。これは、同様に、撹拌器１８の周りに巻き付いた毛髪に働きかけて軸方向端部２６に向けて移動させる。いくつかの掃除機ヘッドにおいて、撹拌器の同じ軸方向端部には、径方向に延在するフランジが設けられており、このフランジは、このように移動した毛髪が撹拌器の端部から落下すること、及び、撹拌器を支持するベアリングに干渉すること、を防止する。しかしながら、本発明において、軸方向端部２６は、淵部５８からスプール５２の狭窄括部５４に滑り落ちるまで、撹拌器１８の周りに巻き付いた毛髪が軸方向端部２６に沿って軸方向に移動することを可能とするように構成されている。
【００３７】
この実施形態において、軸方向端部２６は、毛髪が軸方向端部に沿って軸方向に移動し、淵部から落下することを可能とするように構成されており、ここで、撹拌器は、小径の筒状部分６０を備えており、この筒状部分は、ブラシ領域１９に交差し、淵部５８に至る。したがって、軸方向端部２６へ移動する毛髪は、部分６０上へ滑り落ち、その後、淵部５８から落下する。しかしながら、他の実施形態において、軸方向端部は、依然として毛髪が軸方向端部に沿って移動することを可能としつつ異なって構成され得る。例えば、撹拌器は、直接淵部で終端するブラシ領域を有し得る。本発明において、軸方向端部は、毛髪が軸方向端部に沿って移動してその後軸方向端部から落下することを防止する（上述したフランジまたは横断面積を大きくした部分のような）機構を有していない適切な方法で構成され得る。
【００３８】
スプール５２は、撹拌器１８の軸方向端部２６からスプール上に落下した毛髪を保持するように構成されている。毛髪は、狭窄括部５４の周りに巻き付き、拡大部分５６ａ、５６ｂは、（いったん毛髪が狭窄括部の周りに巻き付くと、毛髪で形成されたループの直径が小さすぎて拡大部分５６ａ、５６ｂに入らないので）これら拡大部分上で毛髪を保持する。この実施形態において、径方向拡大部分５６ａ、５６ｂは、両平坦側壁部６２ａ、６２ｂを画成しており、これら平坦側壁部は、狭窄括部５４で毛髪を保持する点で、特に有効である。
【００３９】
この実施形態において、狭窄括部の直径は、約２５ｍｍである一方、２つの径方向拡大部分のうちの小さい方５６ｂの直径は、約５０ｍｍである。したがって、径方向拡大部分５６ａ、５６ｂの直径は、狭窄括部５４の直径よりも少なくとも９０％大きい（少なくとも１００％に近い）。これにより、毛髪の個別のループが径方向拡大部分５６ａ、５６ｂのうちの一方を滑り越えるのに十分な大きさの直径をループが有するようになる前に、有利に大量の毛髪が狭窄括部５４の周りに巻き付くことを可能とする。
【００４０】
さらに、この実施形態において、狭窄括部５４の軸方向長さは、約２０ｍｍ、すなわち狭窄括部の直径の約８０％である。この比較的長い狭窄括部５４は、同様に、スプール５２で拘束され得る毛髪の量を増加させる。図５に示すように、狭窄括部５４の軸方向長さの約９０％は、撹拌器１８の内側で受けられている。これにより、狭窄括部５４の軸方向の長さのうちより多くが撹拌器１８の外側に位置する場合よりもより小型な配置が提供される。
【００４１】
スプール５２と同様に、撹拌器支持体２４は、ベアリング６４を備える。この場合において、ベアリング６４は、狭窄括部５４の内側においてスプール５２によって支持されている。ベアリング６４は、スタブ６６に係合しており、このスタブは、撹拌器１８の軸方向端部２６から軸方向に突出しており、これにより、撹拌器１８を支持している。ベアリング６４は、サークリップ６７によって狭窄括部５４内に固定されているが、摩擦のみによってスタブ６６に係合している。これにより、撹拌器１８及びスプール５２を軸２２に沿って互いに対して移動させ、それにより、後述するように、スプールを撹拌器から引き抜くことが可能となる。
【００４２】
ここで、図１から図５と共に図６及び図７を参照すると、スプール５２は、撹拌器支持体２４の端部キャップ６８に設けられており、この端部キャップは、筐体１４から解放され、それにより、筐体１４に開口部７０を開け得る、または、筐体に取り付けられ、それにより、開口部７０を閉じ得る。撹拌器１８は、開口部７０を通して撹拌器を軸方向にスライドさせることによって、撹拌器チャンバ１６内及び駆動組立体２８の周囲から、取り外され得る。
【００４３】
この場合において、撹拌器１８は、摩擦によって駆動組立体２８のベアリング４８にある支持リング５０に係合しており、上述のように、撹拌器１８のスタブ６６は、摩擦によってスプール５２にあるベアリング６４に係合している。端部キャップ６８を筐体１４から取り除くと、２つのベアリング４８、６４は、離間移動する。したがって、ベアリング６４とスタブ６６との間の摩擦係合が撹拌器１８と支持リング５０との間の摩擦係合よりも大きい場合、その後、端部キャップ６８を筐体１４から取り外す際、撹拌器１８は、端部キャップと共に出てくる。そして、撹拌器１８及び端部キャップ６８を手で互いから分離し得る。あるいは、ベアリング６４とスタブ６６との間の摩擦係合が撹拌器１８と支持リング５０との間の摩擦係合よりも小さい場合、その後、端部キャップ６８を筐体１４から取り外す際、端部キャップ６８及び撹拌器１８は、互いから分離する。そして、撹拌器１８は、開口部７０を通して撹拌器を手でスライドさせることによって、掃除機ヘッド６から取り外され得る。いずれの場合においても、スプール５２は、撹拌器１８から引き出され得、それにより、ユーザは、狭窄括部５４に容易にアクセスし、毛髪を狭窄括部から取り除き得る。
【００４４】
この実施形態において、端部キャップ６８は、端部キャップ６８に設けられた環状の一列の凹所７２を通して筐体１４に取り付け可能であり、これら凹所は、筐体１４に設けられた相補的な環状の一列の突起７４と係合可能である。端部キャップ６８を筐体１４に取り付けるため、端部キャップ６８は、筐体１４に対して軸２２回りの角度方向位置にあり、この角度方向位置において、凹所７２及び突起７４は、周方向で互いに位置ズレして位置している。これを図６に示す。そして、端部キャップ６８は、軸２２に沿って筐体１４内に押し込まれ得る。これにより、凹所７２及び突起７４を軸方向で位置合わせさせる（そして撹拌器１８が撹拌器チャンバ１６内にある場合にベアリング６４をスタブ６６に押し付ける）が、これら凹所及び突起は、周方向で位置ズレしたままである。そして、端部キャップ６８を軸２２回りに回転させ、それにより、凹所７２を周方向で移動させて突起７４と位置合わせさせる。これにより、突起７４を凹所７２内に位置させ、それにより、端部キャップ６８を筐体１４から離間させるように押すことを防止する。再び端部キャップ６８を取り外すため、上記ステップを逆にする、すなわち、端部キャップ６８を逆方向で回転させ、それにより、凹所７２及び突起７４を周方向で位置ズレさせ、その後、端部キャップ及び筐体１４を引き離し得る。
【００４５】
ここで、図１から図７と共に図８を参照すると、端部キャップは、同様に、コイルバネ７８によってバネ付勢された回動可能ラッチ７６を有している。ラッチ７６は、押しボタン８０と、筐体１４に設けられたラチェット歯８４と係合するラチェット歯８２と、を有する。端部キャップ６８を軸２２回りに回転させて上述のように凹所７２を突起７４の周りに位置させると、ラチェット歯８２、８４は、互いに接触し、歯８４は、ほぼ径方向外側へ歯８２をカム移動させる。これにより、ラッチ７６を回動させ、歯８２が歯８４を乗り越えることを可能とし、バネ７８を圧縮する。端部キャップ６８がその最終位置に到達して突起７４が凹所７２に受けられると、ラッチ７６は、バネ７８の影響を受けて戻るように回動し得る。端部キャップ６８をその後付勢して逆方向に回転させる（凹所７２及び突起７４を係合解除させる）と、歯８２、８４は、当接し、この移動を防止する。ユーザが端部キャップ６８を回転させ、それにより、端部キャップを筐体から取り外したい場合、ユーザは、押しボタン８０を押す。これにより、ラッチを回動させ、歯８２を上昇させて歯８４から係合解除させ、それにより、端部キャップ６８を回転させ得る。
【００４６】
特に図４及び図５に戻ると、注目に値することは、スプール５２と同様に、駆動組立体２８のスプール部分３２が、２つの径方向拡大部分８８ａ、８８ｂ間に位置する狭窄括部８６を有していること、である。したがって、スプール部分３２は、第２スプールを形成し、その狭窄括部８６の周りに巻き付けられた所定長さの毛髪を保持するように構成されている。また、スプール５２と同様に、スプール部分３２は、軸２２と位置合わせされている。撹拌器１８の反対側の軸方向端部３０は、淵部９０で終端しており、スプール部分３２は、反対側の端部３０内に突出し、それにより、淵部９０は、軸方向で狭窄括部８６と位置合わせされている。したがって、撹拌器１８の周りに巻き付けられた毛髪は、淵部９０からスプール部分３２に落下し得、狭窄括部８６の周りに巻き付く。しかしながら、この特有の実施形態において、反対側の軸方向端部３０は、軸方向端部の周りに巻き付いている毛髪が軸方向端部に沿って軸方向に移動することを可能とするように構成されてはいない。実際には、反対側の軸方向端部３０は、毛髪が淵部９０に向けて移動することを阻止するように配設された薄型フランジ９２を有している。したがって、毛髪が淵部９０から落下した場合、この毛髪は、スプール部分３２で保持されるが、毛髪は、淵部９０に落下するように促されてはいない。したがって、毛髪の大部分は、スプール５２に収集されており、この毛髪の大部分は、スプール５２が取り外し可能な端部キャップに設けられていることに起因して、このスプール５２から容易に取り除かれ得る一方で、それにもかかわらず反対側の軸方向端部から落下しない毛髪は、ベアリング４８に干渉することを防止される。
【００４７】
当然ながら、上述した実施形態への様々な改変は、添付の特許請求の範囲に規定されているように、発明の範囲から逸脱することなくなされ得る。例えば、上記実施形態において、スプールが２つのフランジ間にほぼ筒状の狭窄括部を有し、裁縫のボビンの全体形状を付与しているが、一代替例において、ジャグリングのディアボロの全体形状を有し得、狭窄括部自体は、砂時計状をなし、径方向拡大部分は、外方に延在するが互いに向けて先細る。
【００４８】
疑義を回避するため、上述した選択的なかつ／または好ましい特徴は、適切な組合せで、特に添付の特許請求の範囲で説明された組合せで利用され得る。本発明の一態様に関して説明した特徴は、同様に、適切な場合には、本発明の別の態様に適用され得る。
【符号の説明】
【００４９】
２  真空掃除機、６  掃除機ヘッド、１４  筐体、１８  撹拌器、２２  回転軸、２４  撹拌器支持体、２６  軸方向端部、２８  駆動組立体、３０  軸方向端部、３２  スプール部分（第２スプール）、４８  ベアリング、５２  スプール、５４  狭窄括部、５６ａ，５６ｂ  径方向拡大部分、５８  淵部、６２ａ，６２ｂ  平坦側壁部、６４  ベアリング、６６  スタブ、６８  端部キャップ、７０  開口部、８６  狭窄括部、８８ａ，８８ｂ  径方向拡大部分、９０  淵部
【図１】
2019111309.tif 000003
【図２】
2019111309.tif 000004
【図３】
2019111309.tif 000005
【図４】
2019111309.tif 000006
【図５】
2019111309.tif 000007
【図６】
2019111309.tif 000008
【図７】
2019111309.tif 000009
【図８】
2019111309.tif 000010
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
回転軸回りに回転するために支持された撹拌器を備える掃除機ヘッドであって、
２つの径方向拡大部分の軸方向間に位置する狭窄括部を備えるスプールを有し、
前記撹拌器の軸方向端部が、前記狭窄括部から径方向外側に位置しかつ前記狭窄括部と軸方向で位置合わせされかつ軸方向において２つの前記径方向拡大部分間に位置している淵部で終端し、前記撹拌器の周りに巻き付いた毛髪が前記撹拌器に沿って軸方向で移動し、前記淵部から前記狭窄括部へ滑り落ちすることを可能とするように構成されていることを特徴とする掃除機ヘッド。
【請求項２】
前記撹拌器及び前記スプールが、前記回転軸に沿って互いに対して移動可能であり、それにより、前記スプールを前記撹拌器から引き出すことを特徴とする請求項１に記載の掃除機ヘッド。
【請求項３】
前記撹拌器が、開口部を有する筐体内に位置しており、
前記開口部を通して、前記撹拌器を前記筐体から取り除くことができ、
前記開口部が、端部キャップによって選択的に閉塞可能であることを特徴とする請求項２に記載の掃除機ヘッド。
【請求項４】
前記スプールが、前記端部キャップに設けられていることを特徴とする請求項３に記載の掃除機ヘッド。
【請求項５】
前記スプールが、撹拌器支持体の一部であり、
前記撹拌器支持体が、前記撹拌器を回転可能に支持するように位置するベアリングを備えることを特徴とする請求項１から４のいずれか１項に記載の掃除機ヘッド。
【請求項６】
前記ベアリングが、前記狭窄括部の内側に位置しており、前記撹拌器から突出するスタブに係合していることを特徴とする請求項５に記載の掃除機ヘッド。
【請求項７】
前記径方向拡大部分の直径が、前記狭窄括部の直径よりも少なくとも５０％大きいことを特徴とする請求項１から６のいずれか１項に記載の掃除機ヘッド。
【請求項８】
前記狭窄括部の軸方向長さが、当該狭窄括部の直径の少なくとも６０％であることを特徴とする請求項１から７のいずれか１項に記載の掃除機ヘッド。
【請求項９】
前記狭窄括部の軸方向長さの少なくとも５０％が、前記撹拌器内に受けられていることを特徴とする請求項１から８のいずれか１項に記載の掃除機ヘッド。
【請求項１０】
前記撹拌器が、第１回転方向で回転可能であり、ほぼ螺旋状配列の毛を備えており、
前記毛が、反回転方向で前記軸方向端部に向けて前記撹拌器の周りに延在していることを特徴とする請求項１から９のいずれか１項に記載の掃除機ヘッド。
【請求項１１】
前記径方向拡大部分が、平面であるまたは互いに離間するようなテーパ状とされた両側壁部を画成することを特徴とする請求項１から１０のいずれか１項に記載の掃除機ヘッド。
【請求項１２】
前記撹拌器を回転させるように構成された駆動組立体をさらに備え、
前記駆動組立体が、前記撹拌器内へ突出していることを特徴とする請求項１から１１のいずれか１項に記載の掃除機ヘッド。
【請求項１３】
２つの径方向拡大部分の軸方向間に位置する狭窄括部を備える第２スプールを有し、
前記撹拌器の反対側の軸方向端部が、前記第２スプールの前記狭窄括部から径方向外側に位置しかつ前記狭窄括部と軸方向で位置合わせされた淵部で終端していることを特徴とする請求項１から１２のいずれか１項に記載の掃除機ヘッド。
【請求項１４】
請求項１から１３のいずれか１項に記載の掃除機ヘッドを備えることを特徴とする真空掃除機。
【外国語明細書】
2019111309000001.pdf